(57)【特許請求の範囲】
【請求項１】
天井裏に懸吊した天井埋込形空気調和機本体と、天井下面に当接するように前記本体下面に装着した化粧パネルと、同化粧パネルの四辺に設けた風向板を備えた吹出口の内のいくつかに、前記本体下面と前記化粧パネルとの間に挟持するように遮風断熱材を装着することにより、前記吹出口の数を制限してなる天井埋込形空気調和機において、
前記遮風断熱材を、前記本体下面に開口した吹出通路内に嵌合する嵌入部と、前記本体下面と前記化粧パネルとの間に挟持するフランジ部とで構成する一方、同フランジ部に当接して密閉するシール材を、前記化粧パネルの裏面全周に貼着してなることを特徴とする天井埋込形空気調和機。
【請求項２】
前記遮風断熱材のフランジ部の厚さを、前記シール材の厚さより十分薄くしてなることを特徴とする請求項１記載の天井埋込形空気調和機。
【請求項３】
前記本体下面に、前記遮風断熱材のフランジ部が嵌合する嵌合凹部を形成してなることを特徴とする請求項１または請求項２記載の天井埋込形空気調和機。
【請求項４】
前記遮風断熱材の下面に、前記風向板が接触しないように凹部を形成してなることを特徴とする請求項１乃至請求項３記載の天井埋込形空気調和機。
【請求項５】
前記遮風断熱材の嵌入部とフランジ部とを、夫々個別にシート状発泡素材より板状に切り出し、両者を上下に貼着して構成してなることを特徴とする請求項１乃至請求項４記載の天井埋込形空気調和機。
【請求項６】
前記シート状発泡素材に、発泡スチロールを用いるようにしてなることを特徴とする請求項５記載の天井埋込形空気調和機。
【請求項７】
前記遮風断熱材の下面に、黒色系統の色を着色してなることを特徴とする請求項１乃至請求項６記載の天井埋込形空気調和機。
【請求項８】
前記遮風断熱材に、発泡ポリエチレン等の黒色系統の色に着色された素材を用いるようにしてなることを特徴とする請求項１乃至請求項５記載の天井埋込形空気調和機。
【発明の詳細な説明】
【０００１】
【発明の属する技術分野】
本発明は、天井埋込形空気調和機に係わり、より詳細には、吹出口に装着する遮風断熱材の構成に関する。
【０００２】
【従来の技術】
従来の天井埋込形空気調和機は、図７にて示すように、化粧パネルの四辺に設けた吹出口の内のいくつかを遮蔽する板状の遮風断熱材１８を、化粧パネル１０の裏面の吹出口１２の入口の周囲に形成した前記遮風断熱材１８の厚さ分の深さの嵌合凹部３０に嵌合し、前記化粧パネル１０を前記天井埋込形空気調和機本体５の下面に取付けることにより、前記遮風断熱材１８を取り付けていた。
【０００３】
【発明が解決しようとする課題】
しかしながら、近年デザイン上の観点から見た目をスッキリさせるために、前記化粧パネルを薄くする傾向にあるが、上記構成では、前記遮風断熱材の厚さ分、前記遮風断熱材が前記化粧パネル側に入り込む必要があり、前記化粧パネルが薄形化するとそのスペースを確保することが困難であるという問題点が生じていた。
本発明においては、上記の問題点に鑑み、化粧パネルの四辺に設けた吹出口の内のいくつかを遮蔽する遮風断熱材を、化粧パネルの厚さ等に依存することなく取付けることができる天井埋込形空気調和機を提供することを目的とする。
【０００４】
【課題を解決するための手段】
本発明は、上記課題を解決するため、天井裏に懸吊した天井埋込形空気調和機本体と、天井下面に当接するように前記本体下面に装着した化粧パネルと、同化粧パネルの四辺に設けた風向板を備えた吹出口の内のいくつかに、前記本体下面と前記化粧パネルとの間に挟持するように遮風断熱材を装着することにより、前記吹出口の数を制限してなる天井埋込形空気調和機において、
前記遮風断熱材を、前記本体下面に開口した吹出通路内に嵌合する嵌入部と、前記本体下面と前記化粧パネルとの間に挟持するフランジ部とで構成する一方、同フランジ部に当接して密閉するシール材を、前記化粧パネルの裏面全周に貼着した構成となっている。
【０００５】
また、前記遮風断熱材のフランジ部の厚さを、前記シール材の厚さより十分薄くした構成となっている。
【０００６】
また、前記本体下面に、前記遮風断熱材のフランジ部が嵌合する嵌合凹部を形成した構成となっている。
【０００７】
また、前記遮風断熱材の下面に、前記風向板が接触しないように凹部を形成した構成となっている。
【０００８】
また、前記遮風断熱材の嵌入部とフランジ部とを、夫々個別にシート状発泡素材より板状に切り出し、両者を上下に貼着した構成となっている。
【０００９】
また、前記シート状発泡素材に、発泡スチロールを用いるようにした構成となっている。
【００１０】
また、前記遮風断熱材の下面に、黒色系統の色を着色した構成となっている。
【００１１】
更に、前記遮風断熱材に、発泡ポリエチレン等の黒色系統の色に着色された素材を用いるようにした構成となっている。
【００１２】
【発明の実施の形態】
図１乃至図６にて示す本発明の実施例により、本発明の実施の形態について説明する。
先ず、図１乃至図３にて示す、本発明の第一の実施例について説明する。
図１と図２に示すように、５は天井１の上方の屋根裏壁面２に、同屋根裏壁面２に埋め込んだ吊りボルト３と吊りナット４により懸吊した天井埋込形空気調和機本体で、同本体５の下面６には中央に吸込ベルマウス７が開口し、同吸込ベルマウス７の周囲に異なる方向を向いた四つの吹出通路８の開口部９が設けられている。１０は天井１の下面に当接するように前記本体５の下面６に装着した化粧パネルで、同化粧パネル１０の中央には吸込グリル１１、外周部四辺には前記四つの開口部９に対応し、風向板１３を備えた四つの吹出口１２が設けられている。
前記吸込グリル１１の上面にはフィルタ１４が設けられ、更に上方にはモータ１６にて駆動される送風ファン１５が設けられ、同送風ファン１５の外周には熱交換器１７が設けられている。
前記送風ファン１５にて、前記吸込グリル１１より室内空気を前記フィルタ１４にて濾過して吸い込み、前記熱交換器１７にて熱交換した空気を前記吹出口１２より吹き出す。
図２と図３に示すように、前記四つの吹出口１２の内、設置条件等により吹き出しを止めたい吹出口１２に、黒色の発泡ポリエチレン等の発泡素材にて形成した遮風断熱材１８を装着する。同遮風断熱材１８は、前記吹出通路８に嵌合する嵌入部１９と、前記本体５の下面６と前記化粧パネル１０との間に挟持するフランジ部２０とで構成されている。同フランジ部２０が当接する前記化粧パネル１０の裏面全周には、吹出空気と吸込空気とが漏れないように発泡ポリウレタンフォーム等にて形成したシール材２１が両面接着剤等により貼り付けられている。
前記フランジ部２０の厚さｔ１は、前記シール材２１の厚さｔ２より十分薄くすることにより、前記フランジ部２０が無い前記化粧パネル１０裏面の四隅の部分においても、前記シール材２１の復元力により前記本体５の下面６と確実に密着するため、吹出空気と吸込空気との漏れを確実に防止することができる。
また、前記遮風断熱材１８に、黒色の素材を用いることにより、前記吹出口１２を見たときに前記遮風断熱材１８が目立たず外観を損なうことがない。
【００１３】
次に、図４にて示す、本発明の第二の実施例について説明する。
上記第一の実施例とは、遮風断熱材の構成と、同遮風断熱材を挟持する部分の構成とが異なる。
遮風断熱材１８は、嵌入部１９とフランジ部２０とを夫々発泡スチロール等のシート状発泡素材を必要サイズの板状に切り出し、切り出した前記嵌入部１９と前記フランジ部２０とを両面接着剤等により上下に貼り合わせて形成することにより、前記遮風断熱材１８をビク型等の安価な初期投資にて作製することができるため、コスト的に安価なものとすることができる。
なお、前記フランジ部２０を形成するシート状発泡素材を発泡スチロール等で黒色の素材が入手できない場合は、同シート状発泡素材の一面のみに黒色を吹き付け塗装したり、黒色フィルムをラミネートしたりすることにより、前記吹出口１２に面した下面側を黒色とすることができる。
また、前記本体５の下面６に、前記フランジ部２０が嵌合する嵌合凹部２２を形成することにより、同フランジ部２０がある程度厚くても、前記シール材２１の気密性を阻害することのない構成とすることができる。
【００１４】
次に、図５と図６にて示す、本発明の第三の実施例について説明する。
上記第一の実施例とは、遮風断熱材の構成が異なる。
遮風断熱材１８の下面に、風向板１３が傾動したときに干渉しないように凹部２３を形成することにより、化粧パネル１０がより薄くなったり、風向板１３が大きくなったりした場合でも、前記遮風断熱材１８と前記風向板１３とが干渉することのない構成とすることができる。
【００１５】
【発明の効果】
以上説明したように、本発明によれば、化粧パネルの四辺に設けた吹出口の内のいくつかを遮蔽する遮風断熱材を、化粧パネルの厚さ等に依存することなく取付けることができる天井埋込形空気調和機となる。
【図面の簡単な説明】
【図１】天井埋込形空気調和機の全体構成を示す断面図である。
【図２】本発明による天井埋込形空気調和機の第一の実施例を示す分解図である。
【図３】本発明による天井埋込形空気調和機の第一の実施例を示す要部断面図であり、（Ａ）は組み立てた状態を示し、（Ｂ）は分解した状態を示す。
【図４】本発明による天井埋込形空気調和機の第二の実施例を示す要部断面図であり、（Ａ）は組み立てた状態を示し、（Ｂ）は分解した状態を示す。
【図５】本発明による天井埋込形空気調和機の第三の実施例を示す要部断面図である。
【図６】本発明による天井埋込形空気調和機の第三の実施例の遮風断熱材を示す斜視図である。
【図７】従来の天井埋込形空気調和機の要部断面図である。
【符号の説明】
１  天井
５  天井埋込形空気調和機本体
６  下面
８  吹出通路
１０  化粧パネル
１２  吹出口
１３  風向板
１８  遮風断熱材
１９  嵌入部
２０  フランジ部
２１  シール材
２２  嵌合凹部
２３  凹部
【図１】
0003858409.tif 000002
【図２】
0003858409.tif 000003
【図３】
0003858409.tif 000004
【図４】
0003858409.tif 000005
【図５】
0003858409.tif 000006
【図６】
0003858409.tif 000007
【図７】
0003858409.tif 000008